(57)【要約】【課題】図柄変動表示の停止図柄の判定ラインに対する特典等を遊技者が選択可能にすることにより、遊技者の遊技への参加意識を高めて、遊技者のパチンコゲームへの興趣を向上させることができるパチンコ遊技機を提供する。【解決手段】図柄変動表示装置１０の変動図柄が停止したときの判定ラインとして、３本の判定ラインＬ１，Ｌ２，Ｌ３が、図柄変動表示装置１０の表示上に設定される。さらに、３本の判定ラインＬ１，Ｌ２，Ｌ３に対し大当りを含む複数種の特典が変更可能に設定されるが、遊技者が押しボタンスイッチを操作することにより、これらの判定ラインに対する特典が選択設定される。【選択図】図３
2004033478.tif 000002
【特許請求の範囲】
【請求項１】
始動入賞口に遊技球が入賞すると、複数の図柄を変動表示する図柄変動表示装置と、抽選用の乱数を取得して抽選を行なう抽選手段と、を具備し、抽選手段の抽選により大当りが発生し、該図柄変動表示装置の図柄が判定ライン上で揃って停止したとき、大当たり状態となるパチンコ遊技機において、該判定ラインとして複数の判定ラインが該図柄変動表示装置の表示上に設定され、該複数の判定ラインに対し該大当りを含む複数種の特典が変更可能に設定され、遊技者のスイッチ操作により、該複数の判定ラインに対する該特典が選択設定されることを特徴とするパチンコ遊技機。
【請求項２】
前記図柄変動表示装置の表示上には、前記複数の判定ラインの中から有効な有効判定ラインを選択可能に該判定ラインが設定され、遊技者のスイッチ操作により、該有効判定ラインが該判定ラインの中から選択設定されることを特徴とする請求項１記載のパチンコ遊技機。
【請求項３】
始動入賞口への遊技球の入賞がない状態で、前記複数の判定ラインに対する大当りを含む複数種の特典の選択設定画面を、前記図柄変動表示装置に表示し、遊技者がその表示を見ながらスイッチ操作を行なって該複数の判定ラインに対する該特典を選択し、その後、始動入賞口に遊技球が入賞した時点で、該判定ラインに対する該特典が設定されることを特徴とする請求項１記載のパチンコ遊技機。
【請求項４】
前記複数の判定ラインの中の有効判定ラインは、表示色又は明度を変えることにより、他の判定ラインとは識別可能に表示されることを特徴とする請求項２記載のパチンコ遊技機。
【請求項５】
前記判定ラインとして、中央判定ライン、右下傾斜判定ライン、右上傾斜判定ラインの３本の判定ラインが前記図柄変動表示装置の表示器上に設定されることを特徴とする請求項１記載のパチンコ遊技機。
【請求項６】
前記３本の判定ラインに対して、大当り、確率変動付き大当り、小大当りが変更可能に設定されることを特徴とする請求項５記載のパチンコ遊技機。
【発明の詳細な説明】
【０００１】
【発明の属する技術分野】
本発明は、始動入賞口に球が入賞すると、複数の図柄が変動表示され、大当たり抽選に基づき、図柄が予め決められた配列に揃って停止した時、遊技者にとって有利な大当たり状態を発生させるパチンコ遊技機に関し、特に大当たりの際の停止図柄の判定ラインを、遊技者が選択して設定することができるパチンコ遊技機に関する。なお、この明細書における「大当たり」とは、特定の入賞口が開口して多くの遊技球が入賞可能な特別遊技状態を意味するものである。
【０００２】
【従来の技術】
従来、特定の始動入賞口に球が入ると、図柄変動表示装置の３列の図柄が上から下に流れるように変動表示され、その後、それらの図柄が停止して、例えば「６６６」のように、予め決められた図柄が、所定の判定ライン上で揃ったとき、特別遊技状態つまり大当たりとなって、可変入賞装置の電動開閉大入賞口が開閉動作して、多くの球を入賞させることができるパチンコ遊技機が知られている。
【０００３】
【発明が解決しようとする課題】
また、この種のパチンコ遊技機では、特別遊技状態となる図柄の組み合わせが例えば「７７７」のように予め決められた図柄の組み合わせになった場合、確率変動を伴う特典、つまり次回の大当たりとなる抽選時の当選確率を高確率とするような特典を付与することが行われている。
【０００４】
このような特別遊技状態と特典付与の抽選は、通常、演算処理装置における乱数発生手段を使用して行われ、演算処理部で乱数を取得し、その乱数が予め設定された数値であった場合、特別遊技状態とし、或いは特別遊技状態と特典付与を行うように処理される。
【０００５】
しかしながら、図柄変動表示の３列の図柄が停止したときに判定する判定ラインは予め決められており、また、遊技球が始動入賞口に入った時点で、抽選によって大当りと確率変動の特典付与が決定されてしまうため、遊技者は単純に遊技球を打つ操作をするのみであって、パチンコゲームに遊技者の意志が反映されることがなく、このために、遊技者のパチンコゲームへの参加意識が乏しく、パチンコゲームへの遊技者の興趣が薄れている問題があった。
【０００６】
本発明は、上記の点に鑑みてなされたもので、図柄変動表示の停止図柄の判定ラインに対する特典等を遊技者が選択可能にすることにより、遊技者の遊技への参加意識を高めて、遊技者のパチンコゲームへの興趣を向上させることができるパチンコ遊技機を提供することを目的とする。
【０００７】
【課題を解決するための手段】
上記目的を達成するために、本発明のパチンコ遊技機は、始動入賞口に遊技球が入賞すると、複数の図柄を変動表示する図柄変動表示装置と、抽選用の乱数を取得して抽選を行なう抽選手段と、を具備し、抽選手段の抽選により大当りが発生し、図柄変動表示装置の図柄が判定ライン上で揃って停止したとき、大当たり状態となるパチンコ遊技機において、判定ラインとして複数の判定ラインが図柄変動表示装置の表示上に設定され、複数の判定ラインに対し大当りを含む複数種の特典が変更可能に設定され、遊技者のスイッチ操作により、複数の判定ラインに対する特典が選択設定されることを特徴とする。
【０００８】
ここで、請求項２のように、図柄変動表示装置の表示上には、複数の判定ラインの中から有効な有効判定ラインを選択可能に判定ラインが設定され、遊技者のスイッチ操作により、有効判定ラインを判定ラインの中から選択設定するように構成することができる。
【０００９】
また、請求項３のように、始動入賞口への遊技球の入賞がない状態で、複数の判定ラインに対する大当りを含む複数種の特典の選択設定画面を、図柄変動表示装置に表示し、遊技者がその表示を見ながらスイッチ操作を行なって複数の判定ラインに対する特典を選択し、その後、始動入賞口に遊技球が入賞した時点で、判定ラインに対する特典を設定するように構成することができる。
【００１０】
さらに、上記請求項２において、請求項４のように、複数の判定ラインの中の有効判定ラインは、表示色又は明度を変えることにより、他の判定ラインとは識別可能に表示されるように構成することができる。
【００１１】
さらに、請求項５のように、判定ラインとして、中央判定ライン、右下傾斜判定ライン、右上傾斜判定ラインの３本の判定ラインを図柄変動表示装置の表示器上に設定することができる。さらに、請求項６のように、３本の判定ラインに対して、確率変動付き大当り、大当り、小大当りの特典を変更可能に設定することができる。
【００１２】
【作用】
上記構成のパチンコ遊技機は、始動入賞口への遊技球の入賞がない状態で、複数の判定ラインに対する大当りを含む複数種の特典の選択設定画面が、図柄変動表示装置に表示される。遊技者は、その画面表示を見ながらスイッチ操作を行なって、複数の判定ラインに対する特典を選択する。その後、始動入賞口に遊技球が入賞した時点で、判定ラインに対する特典が設定される。例えば、判定ラインが、中央判定ライン、右下傾斜判定ライン、右上傾斜判定ラインの３本で構成される場合、例えば、中央判定ラインに対しては通常の大当りが初期設定され、右下傾斜判定ラインに対しては確率変動付きの大当りが初期設定され、右上傾斜判定ラインに対しては小規模な小大当りが初期設定される。この状態で、遊技者はスイッチを操作しながら、各判定ラインに対する大当り、確率変動付き大当り、小大当り等の特典を変更する。
【００１３】
その後、遊技が行なわれ、始動入賞口に遊技球が入賞した時点で、判定ラインに対する特典が設定されるが、図柄変動表示の停止図柄の判定ラインに対する特典等を遊技者が選択して設定したことにより、遊技者の意志が遊技に反映され、遊技者の遊技への参加意識を高めて、遊技者のパチンコゲームへの興趣を向上させることができる。
【００１４】
【発明の実施の形態】
以下、本発明の実施の形態を図面に基づいて説明する。図１はパチンコ遊技機の正面図を示している。図において、１はパチンコ機の木枠で、木枠１の前には前面枠２が蝶番を介して開閉可能に装着され、前面枠２の前面にはガラス扉５を開閉可能に設けた金枠が取り付けられ、前面枠２の内側に遊技盤３が着脱可能に取り付けられる。また、遊技盤３の背面側に合成樹脂製の機構板がヒンジを介して回動可能に装着される。
【００１５】
ガラス扉５の下側に、前板７が図示しない発射レールや打球杆を覆うように開閉可能に装着され、前板７の前面には打球供給皿６が設けられる。更に、前面枠２の下部に、打球発射装置の一部を構成する打球発射ハンドル９が設けられると共に、打球供給皿６で貯留できなくなった賞球を貯留する下皿８が設けられる。
【００１６】
遊技盤３上に外レールと内レールとで囲まれた遊技領域が形成され、その遊技領域の中央に、３列に配置された複数の図柄を順に上から下に移動（回動）させて表示する図柄変動表示装置１０が配設される。図柄変動表示装置１０は、カラー液晶表示器等の表示器１０ａに３列に配置した複数の数字や絵の図柄を、上から下に流して表示する画を表示する。
【００１７】
この図柄変動表示装置１０は、始動入賞時に例えば１から９までの数字或いは絵柄が流れるように表示されるが、始動入賞する前には、判定ラインの特典選択画面が表示される。この判定ラインは、図４の特典選択画面に示すように、中央判定ラインＬ１、右下傾斜判定ラインＬ２、右上傾斜判定ラインＬ３の３本の判定ラインからなり、３列の図柄表示部上につまり３列の図柄が３文字づつ３列３行に表示される部分に、３本の判定ラインが重ねて表示される。
【００１８】
そして、各判定ラインＬ１〜Ｌ３の左側に、選択して設定される特典が変更可能に表示される。また、その画面の右側には、選択操作のメッセージとして、後述の押しボタンスイッチ１７を操作して特典を選択設定する旨が表示される。遊技者は、この判定ラインの特典選択画面を見ながら、押しボタンスイッチ１７を操作して、各判定ラインＬ１，Ｌ２，Ｌ３における特典を選択して設定する。
【００１９】
表示器１０ａの上方に、保留球表示器１５が複数のランプ等を配置して設けられ、保留球表示器１５は、図柄変動時に、さらに始動入賞口１３に入賞した球の数（保留個数）を記憶して表示する。保留球表示器１５の上方に、普通図柄表示器１６が設けられる。この普通図柄表示器１６は、例えば１桁の４，５，６，７などの数値を高速で順に循環して表示するように構成され、盤面上に設けた通過ゲート４を球が通過し、ゲート検出器４ａがそれを検出したとき、普通図柄表示器１６には４〜７の数値が高速で循環・表示される。普通図柄表示器１６の数字変動は、数秒後に停止するが、その停止図柄（数字）が所定の例えば「７」であった場合、後述の始動入賞口１３の羽根１３ｃを所定の秒数だけ開放する。
【００２０】
図柄変動表示装置１０の中央位置の下方に、始動入賞口１３が設けられ、さらにその両側に通常入賞口１２が配設され、始動入賞口１３の下側に、可変入賞装置１１が設けられる。始動入賞口１３は開閉可能な羽根１３ｃを有し、図２に示すように、始動入賞口ソレノイド１３ｂにより羽根１３ｃは開閉駆動され、そこに入賞した球はその内側に配設された始動入賞検出器１４により検出される。可変入賞装置１１には大入賞口として開閉動作する開閉部材１１ａが、電磁ソレノイド等により開閉可能に設けられる。
【００２１】
また、可変入賞装置１１の大入賞口内には、Ｖゾーンと呼ばれる継続入賞口が設けられ、継続入賞口に入賞した球を検出するための継続入賞口検出器（Ｖ検出器１９）がその内側に設けられ、さらに大入賞口に入賞した球を検出する入賞口検出器１８が設けられる。これらの入賞口に入賞した入賞球の数をカウントするカウンタがＲＡＭの特定メモリ領域などに設けられ、カウント値が例えば９個になると、可変入賞装置１１の開閉部材１１ａは大入賞口ソレノイドにより閉じられる。
【００２２】
開閉部材１１ａの１回の開放が１ラウンドとされ、所定時間内に特定入賞口に入賞すると、ラウンドが更新され、最大で例えば１６ラウンドつまり１６回開閉部材１１ａが開放される。さらに、遊技者が遊技中に操作し易い位置、例えば打球供給皿６の上に、遊技者が予測する予測変動回数を決定するための押しボタンスイッチ１７が設けられる。この押しボタンスイッチ１７は、図４のような、判定ラインの特典選択画面が図柄変動表示装置１０に表示されているときに、遊技者が押して各判定ラインＬ１，Ｌ２，Ｌ３に対する特典を設定する。遊技盤３上には、大当たり時などに点灯する装飾ランプ２６が設けられる。
【００２３】
図２に示すように、パチンコ遊技機の主制御部となるＣＰＵ２０は、ゲームのプログラムが記憶された読み出し専用のＲＯＭ２１、大当たり抽選時に取得した乱数などを一時記憶し、或いは大入賞口の連続開閉回数（ラウンド数）等のデータを一時的に記憶する読み書き可能なＲＡＭ２２、及び入出力回路２３を備える。ＲＡＭ２２内には、遊技者によって選択設定された各判定ラインに対する特典を記憶する記憶領域が設けられる。
【００２４】
ＣＰＵ２０は、基本的にはそのメインルーチンにおいて、遊技中に、始動入賞口１３に遊技球が入賞して始動条件が成立すると、乱数発生器から大当たり抽選用の乱数を取得して、大当たり抽選の処理を行うと共に、抽選結果が大当たりとなり、図柄変動表示装置１０の表示図柄が３本の判定ラインの何れかの上で揃って停止したとき、所定の大当り処理を実行すると共に、大当りの後に停止した判定ラインに付された特典が付与され、特典付与の処理を実行するように構成される。
【００２５】
図２のブロック図に示すように、制御部の入出力回路２３には、始動入賞検出器１４、ゲート検出器４ａ、入賞検出器１８、及びＶ検出器１９が接続される。入賞検出器１８は、可変入賞装置１１の内側に設けられ、可変入賞装置１１の開閉部材１１ａが開いて、その大入賞口に入賞した球を検知してその検知信号を出力する。Ｖ検出器１９は、可変入賞装置１１の内側に設けられ、その特定入賞口に入賞した球を検知してその検知信号を出力する。これらの検出器の検知信号は、入出力回路２３を介してＣＰＵ２０に取り込まれるように構成されている。
【００２６】
次に、上記構成のパチンコ遊技機の動作を図３のフローチャートを参照して説明する。パチンコゲームの遊技中、始動入賞しない状態において、ＣＰＵ２０は、ステップ１００で、図柄変動表示装置１０を制御してその表示器１０ａに、判定ラインの特典選択設定用の画面を表示する。この特典選択画面では、図４に示すように、中央判定ラインＬ１、右下傾斜判定ラインＬ２、右上傾斜判定ラインＬ３の３本の判定ラインが、３列の図柄表示部上につまり３列の図柄が３文字づつ３列３行に表示される部分に、重ねて表示される。そして、各判定ラインＬ１，Ｌ２，Ｌ３に対して異なる種類の大当り特典が付されている。
【００２７】
すなわち、中央判定ラインＬ１に対しては通常の大当りが初期設定され、右下傾斜判定ラインＬ２に対しては確率変動付きの大当りが初期設定され、右上傾斜判定ラインＬ３に対しては小規模な小大当りが初期設定される。確率変動付きの大当りは、次回の大当り抽選時の当選確率が通常より高確率となる特典であり、小大当りは通常の大当りより少ないラウンド数の大当りで、例えば１回のラウンド（可変入賞装置１１の開閉部材１１ａが開く回数）のみの大当りである。
【００２８】
このような判定ラインＬ１，Ｌ２，Ｌ３に対する大当り特典の設定は、遊技者が押しボタンスイッチ１７の操作により、変更することが可能であり、次のステップ１１０で、遊技者が押しボタンスイッチ１７を操作して、任意の組み合わせに変更する。例えば、押しボタンスイッチ１７を一度押すと、図４から図５のように大当り特典の表示が変わり、もう一度スイッチ１７を押すと、図５から図６のように大当り特典の表示が変わり、もう一度スイッチ１７を押すと、図６から図４の表示に戻るように、表示制御される。
【００２９】
例えば、遊技者が各判定ラインＬ１，Ｌ２，Ｌ３に対する大当り特典を図６のように設定したい場合、押しボタンスイッチ１７を二度押して図６のような表示にする。これにより、中央判定ラインＬ１が小大当りに設定され、右下傾斜判定ラインＬ２が大当りに設定され、右上傾斜判定ラインＬ３が確率変動付きの大当りに設定される。この各判定ラインに対する大当り特典の設定は、始動入賞口に遊技球が入賞するまで、行なうことができ、始動入賞した時点で、後述のようにその設定が記憶され確定される。
【００３０】
遊技が行なわれ、ステップ１２０で、遊技球が始動入賞口１３に入賞すると、始動入賞検出器１４がこれを検出し、始動入賞信号をＣＰＵ２０に送る。このとき、ＣＰＵ２０は、次のステップ１３０で、乱数発生器から大当たり抽選用の乱数を取得して大当たり抽選を行い、ステップ１４０で、その時点の特典選択画面で設定された各判定ラインの大当り特典を記憶する。そして、ステップ１５０で、図柄変動表示装置１０の図柄変動を開始し、表示器１０ａに３列の図柄を上から下に流れるように変動表示する。
【００３１】
大当り抽選は、乱数発生器からの乱数の取得により行なわれ、取得した乱数がハズレ乱数であった場合、ハズレとなり、取得した乱数が確率変動付きの大当り用の乱数であった場合、確率変動付き大当りとなる。また、乱数が通常の大当り用の乱数であった場合、通常の大当りとなり、乱数が小規模の小大当り用の乱数であった場合、小大当りとなる。
【００３２】
そして、ＣＰＵ２０は、ステップ１６０で、大当たり抽選用に取得した乱数による抽選結果に基づき、図柄変動表示装置１０の３列の図柄を、選択設定された判定ラインＬ１，Ｌ２，Ｌ３上で揃えて停止させるように制御する。例えば、図４のように、遊技者によって大当り特典が選択設定されている場合、抽選結果が確率変動付き大当りとなったとき、図４のように、右下傾斜判定ラインＬ２に沿って、３列の図柄を「７７７」のように所定の図柄に揃えて停止させるように制御する。
【００３３】
そして、図柄変動表示装置１０の３列の図柄が、図４のように右下傾斜判定ラインＬ２に沿って「７７７」で停止したとき、次のステップ１７０で、確率変動付き大当りと判定し、次のステップ１８０で、次回の大当り抽選を、大当りが高確率で発生する条件で行なうように条件設定する。そして、次のステップ２００で、大当り処理を実行し、大当り処理では、可変入賞装置１１の大入賞口の開閉部材１１ａを所定時間、所定のラウンド数だけ開放して、多くの遊技球が入賞可能な状態とする。
【００３４】
一方、抽選結果が通常の大当りであったときには、中央判定ラインＬ１に沿って、３列の図柄を「７７７」で停止させるように制御する。そして、図柄変動表示装置１０の３列の図柄が、中央判定ラインＬ１に沿って「７７７」で停止したときに、ステップ１９０で、大当りと判定し、次のステップ２００で、上記のように、可変入賞装置１１の大入賞口の開閉部材１１ａを所定時間、所定のラウンド数だけ開放して、大当り処理を実行する。
【００３５】
また、抽選結果が小大当りであったときには、右上傾斜判定ラインＬ３に沿って、３列の図柄を「７７７」で停止させるように制御する。そして、図柄変動表示装置１０の３列の図柄が、右上傾斜判定ラインＬ３に沿って「７７７」で停止したときには、ステップ２１０で、小大当りと判定し、次のステップ２２０で、可変入賞装置１１の大入賞口の開閉部材１１ａを１ラウンドだけ開放する小規模な小大当り処理を実行する。
【００３６】
一方、抽選結果が、上記のような確率変動付き大当り、大当り、或いは小大当りとはならず、ハズレであった場合には、上記のような大当り処理などは行なわない。
【００３７】
このように、遊技者は、始動入賞の前に、特典選択画面と押しボタンスイッチ１７を使用して、図柄変動表示の各判定ラインに設定される特典を選択設定することができるから、遊技者の遊技への参加意識を高めて、パチンコゲームを楽しむことができ、確率変動付き大当り、大当り、或いは小大当りが発生した場合には、自らが設定した判定ラインの特典設定によって、大きな満足感を遊技者は与えることができる。
【００３８】
なお、上記実施形態では、図柄変動表示装置１０の表示画面上に、３本の判定ラインＬ１、Ｌ２、Ｌ３を固定的に設定したが、図７に示すように、５本の判定ライン（中央判定ラインＬ１、右下傾斜判定ラインＬ２、右上傾斜判定ラインＬ３、上判定ラインＬ４、下判定ラインＬ５）を表示し、遊技者がその５本の判定ラインの中から、３本の判定ラインを選択できるように構成することもできる。
【００３９】
この場合、第二押しボタンスイッチを上記押しボタンスイッチ１７とは別に配設し、この第二押しボタンスイッチを押すことにより、５本の判定ラインの中で選択された３本の有効な判定ラインが変わるようにし、選択された有効判定ラインは、その他の判定ラインとは表示色を相違させ、或いは明度を相違して表示し、識別ができるようにする。
【００４０】
例えば、図７に示す例では、中央判定ラインＬ１、右下傾斜判定ラインＬ２、及び上判定ラインＬ４が有効判定ラインとして設定されているが、第二押しボタンスイッチを押す毎に、３本の有効判定ラインの表示が、上判定ラインＬ４，中央判定ラインＬ１，下判定ラインＬ５のように、上から順に移動し、或いはランダムに移動し、遊技者が自らの意志で５本の判定ラインの中から３本の有効な判定ラインを選択設定する。勿論この場合も、３本の判定ラインに設定する特典は、遊技者が押しボタンスイッチ１７を押すことにより、大当り、確率変動付き大当り、小大当りを、各有効判定ラインに対し任意に選択設定することができる。
【００４１】
また、複数の有効判定ラインが設定され、それらの有効判定ラインに大当り、確率変動付き大当り、小大当りを設定した場合、複数の有効判定ライン上に３つの図柄が揃って停止し、複数種類の大当りが同時に発生する場合もあるが、そのような場合には、遊技者にとって最も有利な大当りを発生させるようにすれば良い。
【００４２】
【発明の効果】
以上説明したように、本発明のパチンコ遊技機によれば、図柄変動表示の停止図柄の判定ラインに対する特典等を、遊技者が選択して設定することができるから、遊技者の意志が遊技に反映され、遊技者の遊技への参加意識を高めて、遊技者のパチンコゲームへの興趣を向上させることができる。
【図面の簡単な説明】
【図１】本発明の一実施形態を示すパチンコ遊技機の正面図である。
【図２】パチンコ遊技機の制御系のブロック図である。
【図３】パチンコ遊技機の動作を示すフローチャートである。
【図４】各判定ラインの特典選択画面を示す説明図である。
【図５】各判定ラインの特典をずらした状態の特典選択画面の説明図である。
【図６】各判定ラインの特典をずらした状態の特典選択画面の説明図である。
【図７】他の実施形態の特典選択画面の説明図である。
【符号の説明】
３−遊技盤
１０−図柄変動表示装置
１１−可変入賞装置
１３−始動入賞口
１４−始動入賞検出器
１７ー押しボタンスイッチ
２０−ＣＰＵ
２１−ＲＯＭ
２２−ＲＡＭ
【図１】
2004033478.tif 000003
【図２】
2004033478.tif 000004
【図３】
2004033478.tif 000005
【図４】
2004033478.tif 000006
【図５】
2004033478.tif 000007
【図６】
2004033478.tif 000008
【図７】
2004033478.tif 000009